(57)【要約】【課題】１条の植付け溝に連続鉢苗を複数列で移植することが可能な連続鉢苗移植機および連続鉢苗移植方法を提供する。【解決手段】鉢苗載置台５に２つ鉢苗台９ａ，９ｂを機台幅方向へ並べて載置し、各鉢苗台９ａ，９ｂから引き出した各連続鉢苗６ａ，６ｂを鉢苗案内部７により集約しつつ整列させ、該整列させた各連続鉢苗６ａ，６ｂを鉢苗繰出し部８から繰り出して１条の植付け溝へ移植する。【選択図】図５
2010081853.tif 000002
【特許請求の範囲】
【請求項１】
進行方向後側の下面を接地面とした機台上に、その進行方向前側から順次、連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出し部と、が設けられ、さらに、前記機台の接地面に、圃場に植付け溝を形成する溝切部が設けられる連続鉢苗移植機であって、
前記鉢苗載置部が機台幅方向へ並ぶ複数の鉢苗載置領域に区画され、
さらに、前記鉢苗案内部に設けられ、各鉢苗載置領域から引き出された各連続鉢苗を集約しつつ整列させる鉢苗整列手段と、
を有することを特徴とする連続鉢苗移植機。
【請求項２】
さらに、前記鉢苗案内部から前記鉢苗繰出し部まで延び、前記鉢苗整列手段により整列させた前記連続鉢苗の隣り合う前記連続鉢苗間を仕切る仕切手段を有することを特徴とする連続鉢苗移植機。
【請求項３】
前記鉢苗整列手段は、集約された前記連続鉢苗の通過を許容する間隔をあけて対向配置される１対の鉢苗整列部材を有することを特徴とする請求項１に記載の連続鉢苗移植機。
【請求項４】
前記鉢苗整列手段の各鉢苗整列部材は、前記連続鉢苗の姿勢を矯正する姿勢矯正部と、姿勢が矯正された前記連続鉢苗を整列させて前記鉢苗繰出し部へ向けて案内する案内部と、を有することを特徴とする請求項１−３に記載の連続鉢苗移植機。
【請求項５】
さらに、前記１対の鉢苗整列部材が前記鉢苗繰出し部に設けられることを特徴とする請求項１−４のいずれかに記載の連続鉢苗移植機。
【請求項６】
連続鉢苗移植機を移動させて該移植機の溝切部により圃場に植付け溝を形成しつつ鉢苗載置部から引き出された連続鉢苗を前記植付け溝へ繰り出して移植する方法であって、
前記鉢苗載置部を機台幅方向へ並ぶ複数の鉢苗載置領域に区画しておいて、
各鉢苗載置領域から引き出された各連続鉢苗を集約しつつ整列させ、該整列させた各連続鉢苗を前記植付け溝へ繰出して移植することを特徴とする連続鉢苗移植方法。
【請求項７】
整列させた前記連続鉢苗の隣り合う前記連続鉢苗間を仕切板により仕切りつつ、各連続鉢苗を前記植付け溝へ繰出して移植することを特徴とする請求項６に記載の連続鉢苗移植方法。
【発明の詳細な説明】
【技術分野】
【０００１】
本発明は、連続鉢苗をその集合体から引き出して整列させて圃場に移植する連続鉢苗移植機および連続鉢苗移植方法の改良に関する。
【背景技術】
【０００２】
従来、進行方向後側の下面を接地面とした機台上に、その進行方向前側から順次、連続鉢苗を載置する鉢苗載置部と、該鉢苗載置部から引き出した連続鉢苗を１列に整列させて案内する鉢苗案内部と、該鉢苗案内部から植付け面に連続鉢苗を繰り出す鉢苗繰出し部と、を設け、さらに、圃場に植付け溝を形成する溝切部を機台の接地面に設けると共に該機台の進行方向前端部にハンドルを備える連続鉢苗移植機が知られている（例えば、特許文献１参照）。この連続鉢苗移植機では、作業者がハンドルを牽いて当該移植機を前進させると、溝切部により圃場の植付け面に１条の植付け溝が形成され、該植付け溝に、鉢苗載置部から引き出されて鉢苗案内部により１列に整列させた連続鉢苗が、鉢苗繰出し部から繰り出されて移植される。
【０００３】
ところで、長ネギは、苗を比較的大きく成長させてから圃場に移植する作型（春撒き栽培）が知られている。この作型に上述した連続鉢苗を適用する場合、１つの鉢体に１粒で播種することが好ましい。１つの鉢体に１粒で播種する場合、苗を大きく（太く）成長させる点で有利であるが、畦に移植される苗の数が少なく採算が合わないことから、連続鉢苗移植機を使用して移植することができず、移植は手作業により行われていたが、作業に多大な時間を要するのに加え、作業者への負担も大きかった。しかしながら、１つの鉢体に複数粒を播種した場合、苗が大きく育たず商品価値が低下してしまう。そこで、２つの連続鉢苗集合体を鉢苗載置部に並置し、各集合体から引き出された各連続鉢苗を合一させて１列にすることで、畦に形成した１条の植付け溝に連続鉢苗を複数列で移植することが試みられたが、苗が倒れてしまったり連続鉢苗が絡んでしまう不具合を生じることから実用化が困難であった。
【特許文献１】特開平８−８９０２８号公報
【発明の開示】
【発明が解決しようとする課題】
【０００４】
そこで本発明は、上記事情に鑑みてなされたもので、１条の植付け溝に連続鉢苗を複数列で移植することが可能な連続鉢苗移植機および連続鉢苗移植方法を提供することを課題としてなされたものである。
【課題を解決するための手段】
【０００５】
上記課題を解決するために、本発明のうち請求項１に記載の発明は、進行方向後側の下面を接地面とした機台上に、その進行方向前側から順次、連続鉢苗を載置する鉢苗載置部と、該鉢苗載置部から引き出された前記連続鉢苗を１列に整列させて案内する鉢苗案内部と、該鉢苗案内部から植付け面へ前記連続鉢苗を繰り出す鉢苗繰出し部と、が設けられ、さらに、前記機台の接地面に、圃場に植付け溝を形成する溝切部が設けられる連続鉢苗移植機であって、前記鉢苗載置部が機台幅方向へ並ぶ複数の鉢苗載置領域に区画され、さらに、前記鉢苗案内部に設けられ、各鉢苗載置領域から引き出された各連続鉢苗を集約しつつ整列させる鉢苗整列手段を有することを特徴とする。
請求項２に記載の発明は、請求項１に記載の連続鉢苗移植機において、さらに、前記鉢苗案内部から前記鉢苗繰出し部まで延び、前記鉢苗整列手段により整列させた前記連続鉢苗の隣り合う前記連続鉢苗間を仕切る仕切手段を有することを特徴とする。
請求項３に記載の発明は、請求項１または２に記載の連続鉢苗移植機において、前記鉢苗整列手段は、集約された前記連続鉢苗の通過を許容する間隔をあけて対向配置される１対の鉢苗整列部材を有することを特徴とする。
請求項４に記載の発明は、請求項１−３のいずれかに記載の連続鉢苗移植機において、前記鉢苗整列手段の各鉢苗整列部材は、前記連続鉢苗の姿勢を矯正する姿勢矯正部と、姿勢が矯正された前記連続鉢苗を整列させて前記鉢苗繰出し部へ向けて案内する案内部と、を有することを特徴とする。
請求項５に記載の発明は、請求項１−４のいずれかに記載の連続鉢苗移植機において、さらに、前記１対の鉢苗整列部材が前記鉢苗繰出し部に設けられることを特徴とする。
上記課題を解決するために、本発明のうち請求項６に記載の発明は、連続鉢苗移植機を移動させて該移植機の溝切部により圃場に植付け溝を形成しつつ鉢苗載置部から引き出された連続鉢苗を前記植付け溝へ繰り出して移植する方法であって、前記鉢苗載置部を機台幅方向へ並ぶ複数の鉢苗載置領域に区画しておいて、各鉢苗載置領域から引き出された各連続鉢苗を集約しつつ整列させ、該整列させた各連続鉢苗を前記植付け溝へ繰出して移植することを特徴とする。
請求項７に記載の発明は、請求項６に記載の連続鉢苗移植方法において、整列させた前記連続鉢苗の隣り合う前記連続鉢苗間を仕切板により仕切りつつ、各連続鉢苗を前記植付け溝へ繰出して移植することを特徴とする。
【０００６】
請求項１に記載の連続鉢苗移植機によれば、各鉢苗載置領域から引き出された各連続鉢苗を鉢苗整列手段により集約しつつ整列させ、該整列させた連続鉢苗の隣り合う連続鉢苗間を仕切手段により仕切りつつ、各連続鉢苗を植付け溝へ繰り出して移植することができる。
請求項２に記載の連続鉢苗移植機によれば、整列させた各連続鉢苗間を仕切板により仕切ることで、各連続鉢苗が絡むことを防止し、各連続鉢苗を整然と移植することができる。
請求項３に記載の連続鉢苗移植機によれば、各鉢苗載置領域から引き出された各連続鉢苗は、隣り合う連続鉢苗との距離を徐々に縮めるように集約しつつ整列する。
請求項４に記載の連続鉢苗移植機によれば、鉢苗整列手段は、集約しつつ進行する連続鉢苗を姿勢矯正部により誘導して起立させ、さらに、起立させた連続鉢苗を案内部により整列させて鉢苗繰出し部へ向けて案内する。
請求項５に記載の連続鉢苗移植機によれば、鉢苗繰出し部から繰り出される直前の各連続鉢苗を整列させることができる。これにより、各連続鉢苗をより整然と圃場へ移植することができる。
請求項６に記載の連続鉢苗移植方法によれば、各鉢苗載置領域から引き出された各連続鉢苗を集約しつつ整列させ、整列させた各連続鉢苗を植付け溝へ繰り出して移植することができる。
請求項７に記載の連続鉢苗移植方法によれば、整列させた連続鉢苗の各連続鉢苗間を仕切板により仕切ることで、各連続鉢苗の絡みを防止し、各連続鉢苗を整然と繰り出して植付け溝へ移植することができる。
【発明の効果】
【０００７】
１条の植付け溝に連続鉢苗を複数列で移植することが可能な連続鉢苗移植機および連続鉢苗移植方法を提供することができる。
【発明を実施するための最良の形態】
【０００８】
（第１実施形態）
本発明の第１実施形態を図１〜図６に基いて説明する。なお、説明の便宜上、連続鉢苗移植機１の進行方向（図１、図２、図５および図６における右方向）を前方と規定する。
第１実施形態の連続鉢苗移植機１は、圃場を前進するに伴い、溝切部４（溝切部）により圃場２の植付け面に植付け溝を形成しつつ、鉢苗載置部５から引き出された連続鉢苗６（６ａ，６ｂ）を鉢苗案内部７により後方へ案内しながら鉢苗繰出し部８から該植付け溝内へ繰り出して移植するように構成される。また、連続鉢苗移植機１は、鉢苗載置部５が機台幅方向（図１における上下方向）へ並ぶ２つの鉢苗載置領域５ａ，５ｂに区画され、図５および図６に示されるように、各鉢苗載置領域５ａ，５ｂから引き出された各連続鉢苗６ａ，６ｂを集約しつつ整列させ、整列させた各連続鉢苗６ａ，６ｂを１条の植付け溝へ繰り出して移植するように構成したものである。
【０００９】
連続鉢苗移植機１は、進行方向の後側（図１および図２における左側）の下面を接地面とする機台３を有する。機台３上には、前から順に、鉢苗載置部５と、該鉢苗載置部５の各鉢苗載置領域５ａ，５ｂから引き出された各連続鉢苗６ａ，６ｂを集約しつつ整列させ、整列させた各連続鉢苗６ａ，６ｂを後方へ向けて案内する鉢苗案内部７と、該鉢苗案内部７により案内した各連続鉢苗６ａ，６ｂを連続に繰り出す鉢苗繰出し部８と、が設けられる。なお、図５に示されるように、鉢苗載置部５の各鉢苗載置領域５ａ，５ｂには、各連続鉢苗６ａ，６ｂを収容する各鉢苗台９ａ，９ｂが載置される。鉢苗載置部５は、仕切板等により厳格に区画する必要はなく、鉢苗載置部５に各鉢苗台９ａ，９ｂを並べて載置することで、鉢苗載置部５を各鉢苗載置領域５ａ，５ｂに区画したものとする。
【００１０】
図１および図２に示されるように、鉢苗案内部７は、各連続鉢苗６ａ，６ｂの滑動面を提供する底板１２と、該底板１２上に突設した左右１対の案内板１３とを備えるフレーム１１を有する。該フレーム１１は、機台３上に固定され、１対の鉢苗案内板１３間に仕切用のアングル材１４（仕切手段）が設けられる。該アングル材１４は、底板１２の上面を各鉢苗載置領域５ａ，５ｂに相対する２つの領域１２ａ，１２ｂに区画する。各領域１２ａ，１２ｂは、各連続鉢苗６ａ，６ｂを円滑に案内できるように各鉢苗載置領域５ａ，５ｂ側へＶ字形に拡張されている。また、鉢苗案内部７は、各鉢苗案内板１３とアングル材１４との間を通過して集約された各連続鉢苗６ａ，６ｂを誘導して起立させる姿勢矯正部１５と、起立した各連続鉢苗６ａ，６ｂを整列させて鉢苗繰出し部８へ向けて案内する案内部１６と、を有する。
【００１１】
図１に示されるように、鉢苗案内部７は、フレーム１１上に立設されてアングル材１４の後端部から鉢苗繰出し部８へ前後へ延びる仕切板１７（仕切手段）を有する。フレーム１１には、左右対称（図１における上下対称）に形成された１対の鉢苗整列部材１８，１９（鉢苗整列手段）が、仕切板１７の前側部分を挟んで機台幅方向（図１における上下方向）両側に対向して設けられる。図３および図４に示されるように、鉢苗整列部材１８は、フレームに固定される取付片１８ａと、該取付片１８ａに曲げ部を介して連続して仕切板１７に対して平行な垂直片１８ｂと、該垂直片１８ｂに曲げ部（稜）１８ｄを介して連続して垂直片１８ｂに対して外側へ傾倒させた傾倒片１８ｃと、からなる。
【００１２】
そして、連続鉢苗移植機１では、鉢苗整列部材１８の傾倒片１８ｃが上述した姿勢矯正部１５をなし、垂直片１８ｂが上述した案内部１６をなす。同様に、鉢苗整列部材１９の傾倒片１９ｃが上述した姿勢矯正部１５をなし、垂直片１９ｂが上述した案内部１６をなす。なお、鉢苗整列部材１８の垂直片１８ａと仕切板１７との間隔および鉢苗整列部材１９の垂直片１９ａと仕切板１７との間隔は、通過する各連続鉢苗６ａ，６ｂの幅に合わせて設定される。
【００１３】
図１に示されるように、鉢苗繰出し部８は、フレーム２０の底面を切欠いて形成した切欠部２１を有する。フレーム２０には、上述した１対の鉢苗整列部材１８，１９（鉢苗整列手段）が、仕切板１７の後側部分を挟んで機台幅方向（図１における上下方向）両側に対向して設けられる。図１を参照してもわかるように、連続鉢苗移植機１には、連続鉢苗６ａが通る経路と連続鉢苗６ｂが通る経路とが独立しており、鉢苗載置部５から引き出された各連続鉢苗６ａ，６ｂは、鉢苗繰出し部８から繰り出される時点まで接触することがないように構成される。なお、鉢苗繰出し部８に設けられる１対の鉢苗整列部材１８，１９は、上述した鉢苗案内部７に設けられる１対の鉢苗整列部材１８，１９と、部材１８，１９間の取付間隔を含めて同一であるので、その詳細な説明を省略する。
【００１４】
機台３の接地面には、圃場に植付け溝を形成する上述した溝切部４が設けられる。該溝切部４は、先端部を鋭角に閉じると共に後端部を開放した箱形をなし、後部が鉢苗繰出し部８の下まで延ばされる。また、溝切部４は、左右壁の間隔が、切欠部２１の幅よりやや広く形成されており、鉢苗繰出し部５８から繰り出された各連続鉢苗６ａ，６ｂは、この溝切部４の側壁にも案内されながら、植付け溝へ繰り出される。また、機台３の後端部には、植付け溝に繰り出された各連続鉢苗６ａ，６ｂに周辺の土を掻き寄せる１対の培土板３０と、該培土板３０によって掻き寄せられた土を鎮圧する１対の鎮圧ローラ２３と、が設けられる。1対の掻き寄せ板２２は、さらに土の掻き寄せを行いたい場合（深植等の場合）に設けられる。なお、機台３の先端部には、ハンドル２４を有するスタンド２５が設けられ、該スタンド２５の下端部には、圃場を滑走可能な車輪２６が設けられる。
【００１５】
次に、第１実施形態の作用を説明する。なお、図５および図６に示されるように、第１実施形態では、鉢苗載置部５に長ネギの各鉢苗台９ａ，９ｂを並べて載置し、各鉢苗台９ａ，９ｂから引き出された各連続鉢苗６ａ，６ｂを圃場に形成した１条の植付け溝へ繰り出して移植する場合を説明する。
まず、ハンドル２４を牽いて連続鉢苗移植機１を前進させる（図１における右方向へ移動させる）。この連続鉢苗移植機１の前進に伴い、当該移植機１の溝切部４により圃場の植付け面に植付け溝が形成される。同時に、図１に示されるように、移植機１の鉢苗載置部５の各鉢苗台９ａ，９ｂから各連続鉢苗６ａ，６ｂが引き出される。
【００１６】
各鉢苗台９ａ，９ｂから引き出された各連続鉢苗６ａ，６ｂは、底板１２上の各領域１２ａ，１２ｂを移動する過程で集約されるが、アングル材１４（仕切手段）により各連続鉢苗６ａ，６ｂが接触することはない。鉢苗案内部７の１対の鉢苗整列部材１８，１９（鉢苗整列手段）の各姿勢矯正部１５（各傾倒片１８ｃ，１９ｃ）は、各領域１２ａ，１２ｂを通過した各連続鉢苗６ａ，６ｂを起き上がらせるように誘導して起立させる。さらに、鉢苗案内部７の１対の鉢苗整列部材１８，１９の各案内部１６（各垂直片１８ｂ，１９ｂ）は、起立した各連続鉢苗６ａ，６ｂを整列させて鉢苗絞り部８へ向けて案内する。この時、鉢苗案内部７の１対の鉢苗整列部材１８，１９間を通過する連続鉢苗６ａ，６ｂ間は仕切板１７（仕切手段）により仕切られているので、各連続鉢苗６ａ，６ｂが接触することはない。
【００１７】
鉢苗案内部７を通過して整列された各連続鉢苗６ａ，６ｂは、鉢苗繰出し部８の１対の鉢苗整列部材１８，１９（鉢苗整列手段）の各案内部１６（各垂直片１８ｂ，１９ｂ）に案内されつつ、当該鉢苗繰出し部８の切欠部２１から植付け溝へ繰り出されて移植される。ここで、１対の鉢苗整列部材１８，１９間を通過する連続鉢苗６ａ，６ｂ間は仕切板１７（仕切手段）により仕切られているため、各連続鉢苗６ａ，６ｂが接触することはない。この時、切欠部２１から繰り出される連続鉢苗６ａ，６ｂ間は仕切板１７（仕切手段）により仕切られているので、各連続鉢苗６ａ，６ｂが接触することはない。
【００１８】
なお、鉢苗繰出し部８における１対の鉢苗整列部材１８，１９の各姿勢矯正部１５（各傾倒片１８ｃ，１９ｃ）は、各連続鉢苗６ａ，６ｂの姿勢を矯正する作用の他、各連続鉢苗６ａ，６ｂを円滑に１対の鉢苗整列部材１８，１９間に導き入れる作用を有する。
【００１９】
第１実施形態では以下の効果を奏する。
第１実施形態によれば、鉢苗載置台５に２つ鉢苗台９ａ，９ｂを機台幅方向へ並べて載置し、各鉢苗台９ａ，９ｂから引き出した各連続鉢苗６ａ，６ｂを鉢苗案内部７により集約しつつ整列させ、該整列させた各連続鉢苗６ａ，６ｂを鉢苗繰出し部８から繰り出して１条の植付け溝へ移植することができる。また、各鉢苗台９ａ，９ｂから引き出された各連続鉢苗６ａ，６ｂは、アングル材１４および仕切板１４（仕切手段）により、植付け面へ繰り出される時点まで仕切られているので、各連続鉢苗６ａ，６ｂが接触することはない。これにより、連続鉢苗６ａ，６ｂが絡むようなことがなく、整列した状態を保持したままで連続鉢苗６ａ，６ｂを植付け面へ繰り出すことができ、連続鉢苗６ａ，６ｂを圃場へ整然と移植することができる。
例えば、長ネギの苗を比較的大きく成長させてから圃場に移植する作型に連続鉢苗６（６ａ，６ｂ）を適用する場合、畦（１条の植付け溝）に移植することができる苗の数が少なく採算が合わないことから、従来、連続鉢苗移植機による移植が見送られていたが、第１実施形態の連続鉢苗移植機１を使用することで、各鉢体の長ネギの苗が比較的大きく成長した状態の複数列（本実施形態では、２列）の連続鉢苗６ａ，６ｂを１条の植付け溝へ整然と移植することができる。これにより、採算性および商品価値を確保しつつ、長ネギの各連続鉢苗６ａ，６ｂの移植作業を機械化することが可能になり、移植作業が大幅に効率化されると共に作業者への負担を大幅に軽減することができる。
また、畦に多くの苗を移植するのが有利である場合、１つの鉢体に複数粒で播種した連続鉢苗６ａ，６ｂを第１実施形態の連続鉢苗移植機１を使用して複数列（本実施形態では、２列）で畦に移植することで、畦に多くの苗を効率的に移植することができる。
さらに、複数列（本実施形態では、２列）の連続鉢苗６ａ，６ｂが同時に覆土、鎮圧されるので、複数列で移植した苗の活着、生育が良好である。
【００２０】
なお、実施形態は、上述した第１実施形態に限定されるのもではなく、例えば、次のように構成してもよい。
第１実施形態では、連続鉢苗移植機１を使用して長ネギの苗を移植する場合を説明したが、例えば、葉ネギ、水菜あるいは花の苗等の移植に連続鉢苗移植機１を適用することができる。
第１実施形態では、ハンドル２４を牽いて連続鉢苗移植機１を前進させたが、例えば、当該移植機１をトラクタに連結して牽引させることができる。
【００２１】
（第２実施形態）
次に、図７に基いて第２実施形態を説明する。ここでは、明細書の記載を簡潔にするために、上述した第１実施形態と同一あるいは相当の構成要素については、同一の名称及び符号を付与すると共にその詳細な説明を省略する。
図７に示されるように、第２実施形態の連続鉢苗移植機３１は、鉢苗載置部５が機台幅方向（図７における上下方向）へ並ぶ３つの鉢苗載置領域５ａ，５ｂ，５ｃに区画され、各鉢苗載置領域５ａ，５ｂ，５ｃから引き出された各連続鉢苗６ａ，６ｂ，６ｃを集約しつつ整列させ、整列させた各連続鉢苗６ａ，６ｂ，６ｃを１条の植付け溝へ繰り出して移植するように構成したものである。
【００２２】
なお、鉢苗載置部５の各鉢苗載置領域５ａ，５ｂ，５ｃには、各連続鉢苗６ａ，６ｂ，６ｃを収容する各鉢苗台９ａ，９ｂ，９ｃが載置される。鉢苗載置部５は、仕切板等により厳格に区画する必要はなく、鉢苗載置部５に各鉢苗台９ａ，９ｂ，９ｃを並べて載置することで、鉢苗載置部５を各鉢苗載置領域５ａ，５ｂ，５ｃに区画したものとする。鉢苗案内部７のフレーム１１には、１対の鉢苗案内板１３間に仕切用のアングル材３２，３３（仕切手段）が設けられる。これらアングル材３２，３３は、底板１２の上面を各鉢苗載置領域５ａ，５ｂ，５ｃに相対する３つの領域１２ａ，１２ｂ，１２ｃに区画する。
【００２３】
鉢苗案内部７は、各鉢苗案内板１３と各アングル材３２，３３との間およびアングル材３２，３３間を通過して集約された各連続鉢苗６ａ，６ｂ，６ｃを誘導して起立させる姿勢矯正部１５と、起立した各連続鉢苗６ａ，６ｂを整列させて鉢苗繰出し部８へ向けて案内する案内部１６と、を有する。また、鉢苗案内部７は、フレーム１１上に立設されて各アングル材３２，３３の後方から鉢苗繰出し部８へ前後へ延びる仕切板３４，３５（仕切手段）を有する。さらに、フレーム１１には、１対の鉢苗整列部材１８，１９（鉢苗整列手段）が、仕切板３４，３５の前側部分を挟んで対向して設けられる。なお、鉢苗整列部材１８の垂直片１８ａと仕切板３４との間隔、仕切板３４，３５間の間隔ならびに鉢苗整列部材１９の垂直片１９ａと仕切板３５との間隔は、通過する各連続鉢苗６ａ，６ｂ，６ｃの幅に合わせて設定される。
【００２４】
鉢苗繰出し部８のフレーム２０には、上述した１対の鉢苗整列部材１８，１９（鉢苗整列手段）が、仕切板３４，３５の後側部分を挟んで対向して設けられる。図６を参照してもわかるように、連続鉢苗移植機３１には、連続鉢苗６ａが通る経路、連続鉢苗６ｂが通る経路ならびに連続鉢苗６ｃが通る経路が独立しており、鉢苗載置部５から引き出された各連続鉢苗６ａ，６ｂ，６ｃは、鉢苗繰出し部８から繰り出される時点まで接触することがないように構成される。
【００２５】
第２実施形態の連続鉢苗移植機３１によれば、第１実施形態の連続鉢苗移植機１と同一の作用効果を得ることができる。
また、第２実施形態の連続鉢苗移植機３１は、３つの各鉢苗台９ａ，９ｂ，９ｃから引き出した各連続鉢苗６ａ，６ｂ，６ｃを鉢苗案内部７により集約しつつ整列させ、該整列させた各連続鉢苗６ａ，６ｂ，６ｃを鉢苗繰出し部８から繰り出して１条の植付け溝へ移植することができるので、畦により多くの苗を効率的に移植することができる。
【００２６】
（第３実施形態）
次に、図８に基いて第３実施形態を説明する。ここでは、明細書の記載を簡潔にするために、上述した第１実施形態及び第２実施形態と同一あるいは相当の構成要素については、同一の名称及び符号を付与すると共にその詳細な説明を省略する。
図８に示されるように、第３実施形態の連続鉢苗移植機３３は、鉢苗載置部５が機台幅方向（図８における上下方向）へ並ぶ２つの鉢苗載置領域５ａ，５ｂに区画され、各鉢苗載置領域５ａ，５ｂから引き出された各連続鉢苗６ａ，６ｂを集約しつつ整列させ、整列させた各連続鉢苗６ａ，６ｂを１条の植付け溝へ繰り出して移植するように構成したものである。なお、鉢苗載置部５の各鉢苗載置領域５ａ，５ｂには、各連続鉢苗６ａ，６ｂを収容する各鉢苗台９ａ，９ｂが載置される。
【００２７】
第３実施形態において、鉢苗載置部５は、仕切板等により厳格に区画する必要はなく、鉢苗載置部５に各鉢苗台９ａ，９ｂを並べて載置することで、鉢苗載置部５を各鉢苗載置領域５ａ，５ｂに区画したものとする。鉢苗案内部７のフレーム１１には、１対の鉢苗案内板１３間に仕切用のアングル材１４（仕切手段）が設けられる。アングル材１４は、底板１２の上面を各鉢苗載置領域５ａ，５ｂに相対する３つの領域１２ａ，１２ｂに区画する。
【００２８】
鉢苗案内部７は、各鉢苗案内板１３とアングル材１４との間を通過して集約された各連続鉢苗６ａ，６ｂを誘導して起立させる。起立直後に、苗は整列されて鉢苗繰出し部８へ向けて案内する案内部１６から植溝へ繰り出される。
鉢苗繰出し部８のフレーム２０には、上述した１対の鉢苗整列部材１８，１９（鉢苗整列手段）が、切欠部２１を挟んで対向して設けられる。図９を参照してもわかるように、連続鉢苗移植機３３には、連続鉢苗６ａが通る経路、連続鉢苗６ｂが通る経路が独立しており、鉢苗載置部５から引き出された各連続鉢苗６ａ，６ｂは、鉢苗繰出し部８から繰り出される時点まで接触することがないように構成される。
【００２９】
第３実施形態の連続鉢苗移植機３３によれば、第１実施形態の連続鉢苗移植機１と同一の作用効果を得ることができる。
【図面の簡単な説明】
【００３０】
【図１】第１実施形態の連続鉢苗移植機の平面図である。
【図２】第１実施形態の連続鉢苗移植機の右側面図である。
【図３】図１における鉢苗整列手段を拡大して示した図である。
【図４】図３におけるＡ−Ａ矢視図である。
【図５】第１実施形態の連続鉢苗移植機を使用して、長ネギを育苗した連続鉢苗を移植する態様を示す平面図である。
【図６】第１実施形態の連続鉢苗移植機を使用して、長ネギを育苗した連続鉢苗を移植する態様を示す右側面図である。
【図７】第２実施形態の連続鉢苗移植機を使用して、長ネギを育苗した連続鉢苗を移植する態様を示す平面図である。
【図８】第３実施形態の連続鉢苗移植機の平面図である。
【図９】第３実施形態の連続鉢苗移植機を使用して、長ネギを育苗した連続鉢苗を移植する態様を示す平面図である。
【符号の説明】
【００３１】
１  連続鉢苗移植機、２  圃場、３  機台、４  溝切部、５  鉢苗載置部、５ａ，５ｂ  鉢苗載置領域、６ａ，６ｂ  連続鉢苗、７  鉢苗案内部、８  鉢苗繰出し部、１４  アングル材（仕切手段）、１５  姿勢矯正部、１６  案内部、１７  仕切板（仕切手段）、１８，１９  鉢苗整列部材
【図１】
2010081853.tif 000003
【図２】
2010081853.tif 000004
【図３】
2010081853.tif 000005
【図４】
2010081853.tif 000006
【図５】
2010081853.tif 000007
【図６】
2010081853.tif 000008
【図７】
2010081853.tif 000009
【図８】
2010081853.tif 000010
【図９】
2010081853.tif 000011